(57)【特許請求の範囲】
【請求項１】
インク滴を吐出させる複数のノズルを有するインクジェットヘッドと、該インクジェットヘッドのリフレッシュ動作を実行するリフレッシュ処理手段と、印刷データを記憶する記憶手段と、印刷中に電源スイッチがオフされ再びオンされた際に該オフ時からの経過時間を計測する経過時間計測手段と、電源オン時の処理動作を前記経過時間に応じて変更するリセット手段とを具備し、
前記リセット手段は、前記経過時間が所定時間以内の場合、前記リフレッシュ動作を行わせずに印刷中だったデータを読み飛ばし、前記経過時間が所定時間を越える場合、前記記憶手段内を全てクリアし、
前記インクジェットヘッドは、前記読み飛ばした残りの前記印刷データから印刷を開始することを特徴とするインクジェット記録装置。
【発明の詳細な説明】
【０００１】
【発明の属する技術分野】
本発明は、電源スイッチのオフからオン時まで経過時間によって電気的初期化のみを行うリセット機能を有するインクジェット記録装置に関する。
【０００２】
【従来の技術】
インクジェットプリンタでは、一般的に、インクをヘッド前面に形成したオリフィスから吐出するインクジェットヘッドを記録媒体、例えば、プリント用紙に対して走査移動させ、同時にこのプリント用紙を副走査移動させることにより、インクジェットヘッドから吐出したインク滴をプリント用紙に付着されることで、希望する画像をこのプリント用紙にプリントすることができる。このようなインクジェットプリンタは、コンピュータによって構成されるプリンタ制御部と、このプリンタ制御部によって動作制御されるプリンタ機構部とによって構成されている。このプリンタ機構部は、例えば、インクジェットヘッドとこのインクジェットヘッドを走査移動させる駆動装置及びその他の機構部によって構成されている。
【０００３】
そして、このインクジェットプリンタには、一般に、電源部と前述したプリンタ制御部及びプリンタ機構部と電源部との間に介装されて電源部の電力をプリンタ制御部及びプリンタ機構部に供給、切断するための電源スイッチが設けられている。即ち、この電源スイッチをＯＮ状態とすればプリンタが稼働し、電源スイッチをＯＦＦ状態とすればプリンタの動作が停止するようになっている。
【０００４】
このようなインクジェットプリンタにおいては、通常電源スイッチがＯＮされた場合には、上述したプリンタ機構部の初期化、並びに印刷モードの設定や受信メモリのカウンタのクリア等の電気的な初期化を含む初期動作がなされる。
【０００５】
また、インクジェットプリンタは、一般に、インク溶剤の蒸発によるインクの増粘や固着、あるいは、インク内への気泡混入、オリフィス部への埃や紙粉の付着などによってインクの吐出不良を生じる虞があるので、この状態を正常に回復するためのリフレッシュ処理手段を有する。このリフレッシュ処理手段は、所定の待機時間毎に、前記インクジェットヘッドのノズルからインクを吐出するフラッシュ処理、前記インクジェットヘッドのノズル先端部、すなわちノズル開口が形成されたヘッド端面を拭くワイプ処理、および前記インクジェットヘッドの先端を吸引装置に押し付けてノズルからインクを吸引する吸引処理の少なくとも一種を行うものである。従って、前述の電源スイッチをＯＮ状態とした際には、リフレッシュ処理手段がインクジェットヘッドをホーム位置に移動してインクの空吐出を行うことでリフレッシュ動作を行う場合がある。
【０００６】
一方、電源スイッチをＯＦＦ状態としたときには、インクジェットヘッドをホーム位置へ復帰移動してプリンタの動作を停止する後処理が行われる場合もある。
【０００７】
このように、インクジェットプリンタにおいては、一般に、初期化処理手段による電気的な初期化処理は、電源スイッチをＯＮ状態としたときに行われる機械的な初期化処理およびリフレッシュ処理手段によるインクジェットヘッドのリフレッシュ動作と共に行われる。
【０００８】
ところで、プリンタの稼働中にリセットを行いたい場合に、ユーザは往々にして電源スイッチをＯＮ状態からＯＦＦ操作し、再びＯＮ操作するという操作を行う。しかしこれだと、電気的な初期化動作と共に機械的な初期化動作およびインクジェットヘッドのリフレッシュ動作が行われてしまう。即ち、このようなインクジェット記録装置では、印刷モード及び受信メモリのリセットを行うたびにインクジェットヘッドのリフレッシュ動作および機械的な初期化動作が行われることとなり、空吐出される一定量のインクが無駄になると共に、初期化してからリフレッシュ動作して次の印刷データを入力することができるまでの待ち時間が長くかかってしまうという問題がある。
【０００９】
そこで、プリンタの稼働中に印刷モード及び受信メモリの初期化動作のみを行うためのリセットキーが設けられたものが、例えば、特公平７−５７５５１号公報にて提案されている。
【００１０】
【発明が解決しようとする課題】
上述した公報に開示されたインクジェット記録装置にあっては、プリンタのオフライン時にリセットキーを操作することで、印刷モード及び受信メモリの初期化動作のみを行うことができ、電源スイッチのＯＦＦ−ＯＮ操作が不要となって迅速な初期化動作が可能となり、リフレッシュ動作時間や一定量のインクの無駄をなくすことができる。
【００１１】
ところで、近年、できるだけホストで全ての操作を行うという思想のもと、プリンタ側での操作を省くあるいはプリンタの外観向上やコストの低減などから操作パネルを簡略することが考えられており、これによってキースイッチの数を減らす傾向にある。インクジェットプリンタの操作パネルには、一般的に、キースイッチとして、電源キー、ピッチキー、モードキー、シート送りキー、シート微小送りキー、オンラインキーなどが設けられており、前述した公報のインクジェット記録装置のように、印刷モード及び受信メモリの初期化動作を行うための専用のリセットキーを設けると、キースイッチの数が更に増えて操作パネルが複雑となり、迅速なキースイッチ操作の妨げになってしまうという問題がある。
【００１２】
また、この公報には、初期化動作を行うための専用のリセットキーの代わりに、既存の複数のキーの組み合わせ操作、例えば、シート送りキーとシート微小送りキーとの同時操作によって初期化動作を行うことが記載されている。ところが、操作者が複数のキーを組み合わせて同時に操作することは面倒であり、間違えて一方のキーのみ操作した場合には、プリンタは別の動作を実行してしまうという問題がある。
【００１３】
また、前述したように、操作パネルを簡略するためにキースイッチの数を減らすことが望まれている現状で、必要不可欠ではないシート送りキーとシート微小送りキーなどの組み合わせ操作によって初期化動作を行うようにすることは、このような要望の実施に逆行するものである。
【００１４】
本発明はこのような問題を解決するものであって、別にスイッチを設けることなく、簡単な既存のパネルスイッチ操作で迅速に初期化動作の実行を可能としたインクジェット記録装置を提供することを課題とする。
【００１５】
【課題を解決するための手段】
上述した課題を解決する本発明の第１の態様は、インク滴を吐出させる複数のノズルとこのノズルに対応して該ノズル内のインクに圧力を印加する圧力発生素子とを有するインクジェットヘッドを含むプリンタ機構部とこのプリンタ機構部を制御するプリンタ制御部を有し、電源スイッチがオンされたときに前記プリンタ機構部の初期化処理および前記プリンタ制御部の電気的な初期化処理からなる初期動作を行うインクジェット記録装置において、前記電源スイッチがオンされた際に前回のオフ時からの経過時間を計測する経過時間計測手段と、前記経過時間が所定時間以内の場合には前記プリンタ機構部の初期化処理を除外して前記プリント制御部の電気的初期化のみを行うリセット手段とを具備することを特徴とするインクジェット記録装置にある。
【００１６】
本発明の第２の態様は、第１の態様において、前記電気的初期化が、全メモリクリアを含む第１の初期化と、一部のメモリのみをクリアする第２の初期化とを有し、前記経過時間の違いにより、前記第１の初期化または第２の初期化を行うことを特徴とするインクジェット記録装置にある。
【００１７】
本発明の第３の態様は、第２の態様において、前記電気的初期化の際に起動する印刷データチェック手段を有し、該印刷データチェック手段が前記電源スイッチのオフ時に印刷処理されているデータの終わりを検出し、前記第２の初期化の際に当該印刷処理されているデータのみをクリアすることを特徴とするインクジェット記録装置にある。
【００１８】
本発明の第４の態様は、第１〜３の何れかの態様において、前記電源スイッチがオフ時においても動作する計時手段と、この計時手段から読みとった時刻を記憶する不揮発性メモリとを有し、前記経過時間計測手段は、前記電源スイッチのオフ時に時刻を前記時計から読みとって前記不揮発性メモリに格納し、前記電源スイッチのオン時に前記不揮発性メモリに格納されている時刻と現時刻とを比較して前記経過時間を検出することを特徴とするインクジェット記録装置にある。
【００１９】
本発明の第５の態様は、第１〜３の何れかの態様において、前記電源スイッチをオフした後も所定時間電源を確保する二次電源手段と、この二次電源手段によって前記電源スイッチのオフ時に作動開始するタイマとを有し、前記経過時間計測手段は、前記電源スイッチのオフ時に前記タイマから取得した計時時間を前記経過時間とすることを特徴とするインクジェット記録装置にある。
【００２０】
本発明の第６の態様は、第１〜５の何れかの態様において、前記電源スイッチをオフした際に行う前記プリンタ機構部の停止動作を、前記電源スイッチのオフから前記所定時間経過後に行うことを特徴とするインクジェット記録装置にある。
【００２１】
本発明の第７の態様は、第１〜６の何れかの態様において、前記電源スイッチをオフした際にも一部に電源を供給できるバッテリを具備することを特徴とするインクジェット記録装置にある。
【００２２】
本発明の第８の態様は、第１〜６の何れかの態様において、前記電源スイッチをオフした際にも一部に電力を供給する二次電源機構を具備することを特徴とするインクジェット記録装置にある。
【００２３】
本発明は、リセットキーまたは複雑なキー操作ではなく、ユーザが無意識に行いがちな電源ＯＦＦ／ＯＮによるリセット動作において、電源スイッチのオフ時からオン時までの時間によって電源オン時の初期化処理動作の内容を変更するようにしたので、必要に応じて電気的なリセットのみを行うことができ、機械的初期化またはリフレッシュ処理などの無駄な動作を省くことができる。また、続いて印刷するまでの時間を短縮することができる。また、特別にリセットキーを設けることなく、電源スイッチの所定の操作によりリセットを行うことができるので、キースイッチの簡略化の要望に応じることができる。さらに、ユーザが電源をＯＦＦ/ＯＮしてリセットする際、メモリのクリアだけを望むときは往々にして短時間でオフからオンへの操作を行うものであり、それに合うようにリセット動作を設定しておくことでプリンタの動作がユーザの感覚に近づくようになっている。
【００２４】
【発明の実施の形態】
以下、図面に基づいて本発明の実施の形態を詳細に説明する。
【００２５】
図１に本発明の一実施形態に係るインクジェット記録装置の概略構成、図２に本実施形態のインクジェットヘッドと記録媒体との関係、図３に本実施形態に係るインクジェット記録装置の制御ブロック、図４に本実施形態のインクジェットプリンタによる制御処理のフローチャートを示す。
【００２６】
本実施形態のインクジェットプリンタは既存の構造をなすものであって、インクジェットヘッド１を搭載したキャリッジ２は、図示しないフレームに取り付けられたキャリッジ軸３に軸方向移動自在に装着されている。そして、駆動モータ４の駆動力が図示しない複数の歯車およびタイミングベルト５を介してキャリッジ２に伝達されることで、インクジェットヘッド１を搭載したキャリッジ２はキャリッジ軸３に沿って移動自在となっている。一方、図示しないフレームにはキャリッジ軸３に沿ってプラテン６が設けられている。このプラテン６は紙送りモータ７の駆動力により回転できるようになっており、図示しない給紙ローラなどにより給紙された紙等の記録媒体である記録シートＳがプラテン６に巻き掛けられて搬送されるようになっている。
【００２７】
インクジェットヘッド１は、図２に示すように、副走査方向（Ｙ方向）に沿って、インク滴を吐出させる複数の記録素子（ノズル）１ａ，１ｂ，１ｃ〜１ｎと、このノズル１ａ〜１ｎに対応してノズル内のインクに圧力を印加する図示しない圧力発生素子とを有している。かかるインクジェットヘッド１は、記録シートＳに対して主走査方向に移動しつつ、記録シートＳのノズル１ａ〜１ｎがカバーする短冊状の領域（スキャンラインという）にドットのパターンを印刷し、一回の主走査が終わると、記録シートＳは副走査方向に、１ドット分の距離を単位として必要なドット数分だけ送られる。以上の動作は記録シートＳの記録すべき領域全てをカバーするまで繰り返し行われる。本実施形態のインクジェットプリンタは外部のホストコンピュータ（以下、ホストという）と接続され、ホストから入力されるデータやコマンドに基づいて、インクジェットヘッド１の主走査のどの位置でノズル１ａ〜１ｎのどれを駆動し、また、記録シートＳの送り量を何ドットにするか、等の動作を制御する。
【００２８】
このようなインクジェットプリンタのプリンタ機構部を制御する制御装置の構成を図３に示す。図３に示すように、プリンタ１１は、ホストコンピュータ１０（以下ホスト）からデータおよびコマンドを受信するためのインターフェース１２を有し、インターフェース１２に入力されたデータ等は制御部１３に入る。制御部１３は、ＣＰＵ１４、ＲＯＭ１５およびＲＡＭ１６から構成される演算部１７を有し、ＲＯＭ１５に記憶された制御プログラム等に基づいてプリンタ１１のプリンタ機構部８を総括的に制御するものであり、制御手段１８、リセット判断手段１９、印刷データ処理手段２０、印刷位置制御手段２１、初期化処理手段２２、後処理手段２３、およびリフレッシュ手段２４を有する。また、プリンタ１１は、時計２５を有し、電源スイッチ２６がＯＦＦ操作されても時計を動作するためのバッテリ２７を有する。さらに、電源スイッチがＯＦＦされた時に時刻を記憶するための不揮発性メモリであるＥＥＰＲＯＭ２８を有する。なお、この代わりに、ＳＲＡＭおよびバックアップ用のバッテリを有していてもよい。
【００２９】
制御手段１８は、プリンタ機構部８を総合的に制御するものであり、ホスト１０から受信したデータを、印刷データ処理手段２０および印刷位置制御手段２１に送り、必要なデータが揃ったところで印刷開始指令を出す。また、印刷位置制御手段２１は、インクジェットヘッド１を駆動させるヘッド駆動モータ４、およびシート送りモータ７をそれぞれ制御し、且つ印刷データ処理手段２０に印刷の同期信号を送信する。
【００３０】
初期化処理手段２２は、電源スイッチ２６がＯＦＦ状態からＯＮ操作されたとき、ＲＡＭ１６に格納された印刷モード及び受信メモリのリセット（クリア）を行うと共に、リフレッシュ処理手段２４を制御して、インクを空吐出させてインクジェットヘッド１のリフレッシュ動作を行わせる。一方、後処理手段２３は、電源スイッチ２６がＯＮ状態からＯＦＦ操作されたときに、ヘッド駆動モータ４及びシート送りモータ７を制御して、初期位置に戻す後処理動作を行わせるものであり、この後処理動作は上述したバッテリ２７からの電力で行われる。
【００３１】
リセット判断手段１９は、電源スイッチ２６がＯＮ操作された際、前回のＯＦＦ操作時からの経過時間を測定する経過時間計時手段の機能を兼ね備え、その経過時間に応じて初期化処理動作を変更するように機能する。すなわち、電源スイッチ２６がＯＮ操作された際に、現時刻を読むと共に、予めＯＦＦ操作時にＥＥＰＲＯＭ２８に記憶させていたＯＦＦ操作時刻を読み出し、ＯＦＦ操作時刻からＯＮ操作時刻までの経過時間を測定し、その時間と予め設定された所定時間（例えば、３秒）とを比較して、電源スイッチ２６が所定時間内にＯＮ操作されたかどうかを判断する。所定時間内であれば、リセット判断手段１９は、初期化処理手段２２による印刷モード及び受信メモリの初期化動作のみ実行するように制御する。
【００３２】
ここで、上述した本実施形態のインクジェット記録装置のプリンタ制御部１３による制御について、図４のフローチャートに基づいて説明する。なお、図４のフローチャートはＯＮシーケンスとＯＦＦシーケンスとに分かれているが、ＯＮシーケンスはＯＦＦシーケンスのステップＳ１１以降であれば何れの場所にも入り得るものであり、一方、ＯＦＦシーケンスは、ＯＮシーケンスの何れの場所にも入り得るものである。
【００３３】
図４に示すように、ステップＳ１にて電源スイッチ２６が投入されると、リセット判断手段１９は、ステップＳ２において、ＥＥＰＲＯＭ２８からＯＦＦ操作時刻ｔ1を読み出し、現時刻ｔ2との差ｔ3を取得する。ステップＳ３にて、経過時間であるｔ3が予め設定された所定時間（例えば、３秒）より大きいかどうかを判断し、所定時間より大きい、すなわち、先のＯＦＦ時から所定時間以上経過している場合には、ステップＳ４にて、インクジェットヘッド１のホーム位置ＨＰの検出等の初期動作を行うと共に、ステップＳ５にて、リフレッシュ処理手段２４によりインクジェットヘッド１のリフレッシュ動作を行い、さらに、ステップＳ６において、初期化処理手段２２によって印刷モードの設定やＲＡＭ１６内に格納された受信メモリデータのカウンタクリア等のリセット動作からなる電気的初期化を行う。一方、前回のＯＦＦ時から所定時間経過していない場合には、ステップＳ４およびステップＳ５の機械的初期化およびリフレッシュ動作を行わずにステップＳ６のメモリリセットのみを行う。そして、ステップＳ７において印刷データがあるかどうかを判断し、印刷データがある場合には、ステップＳ８において印刷処理を行う。その後、ステップＳ９にて、印刷が終了したか否かを判別し、印刷が終了しない場合には、終了するまでステップＳ８の印刷処理を実行する。
【００３４】
一方、印刷が終了すれば、ステップＳ１０に移行し、ここで、電源スイッチ２６がＯＦＦ操作されたかどうかを判別する。このステップＳ１０において、電源スイッチ２６がＯＦＦ操作されるとステップＳ１１にて、時計２５から現在の時刻ｔ1を読みとってＥＥＰＲＯＭ２８に格納する。その後、ステップＳ１２では、メモリリセットのみを行えることを知らせるパイロットランプ２９を点灯し、ステップＳ１３ではステップＳ３と同様に現時刻ｔ2とＥＥＰＲＯＭ２８に保存されているｔ1との差が所定時間３秒以上になったかどうかを判断し、３秒以上経過した後、ステップＳ１４に移行する。ステップＳ１４では、後処理手段２３がヘッド駆動モータ４及びシート送りモータ７を制御して、初期位置に戻す後処理動作を行い、ステップＳ１５でプリンタを停止する。
【００３５】
以上の処理では、電源ＯＦＦの操作をしてからの経過時間が所定時間、例えば、３秒以内に電源ＯＮ操作を行うと、ヘッド駆動モータ４等の機械類の初期動作およびインクジェットヘッド１のリフレッシュ動作を省いてメモリのみのリセットを行うことができる。すなわち、特別にリセットスイッチを設けることなく、電気的な（ソフト的）なリセットを行うことができる。また、リセット機能をスイッチとしては特別な電源スイッチに持たせているので、ユーザがリセットを意識することなく使用することができる。例えば、動作中の印刷を途中で止めたい場合などは、ユーザは無意識のうちに電源をオフし且つ続けてオンにする操作を行うが、この場合には自動的に電気的なリセットのみが行われ、機械類の初期化の時間を待つことなく所望の印刷を行うことができる。
【００３６】
図５には他の実施態様にかかるインクジェット記録装置の制御ブロック、図６にはその装置における制御フローを示す。なお、上述した実施形態と同一機能を有する部分には同一符号を付して重複する説明は省略する。
【００３７】
図５に示すように、このインクジェット記録装置は、上述した時計２５の代わりにまたはこれに加えてタイマＩＣなどのタイマ３０を有する。このタイマ３０はバッテリ２７により動作するものであり、電源ＯＦＦにより起動して電源ＯＮまでの時間を測定するためのものである。このようなインクジェット記録装置の処理フローを図６に示す。
【００３８】
図６に示すように、電源ＯＮ操作した後、ステップＳ２１にて、電源ＯＦＦにより起動されるタイマ３０の時間を読みとり、ステップＳ２２にて、タイマ３０の読みとり時間ｔ0が所定時間である３秒より大きいかどうかを判断する。そして、経過時間ｔ0が３秒より大きい場合、すなわち、前回の電源ＯＦＦから３秒以上経過している場合には、通常通り、ステップＳ４およびステップＳ５で初期動作およびヘッドのリフレッシュ操作を行い、その後、ステップＳ６でメモリのリセットを行う。一方、ステップＳ２２で、前回のＯＦＦ操作から３秒以内にＯＮされた場合には、ステップＳ４およびステップＳ５の初期動作およびリフレッシュ動作を回避し、ステップＳ６にてメモリのリセットのみを行う。一方、ステップＳ１０において、電源スイッチ２６がＯＦＦ操作されるとステップＳ２３にて、タイマ３０を起動する。その後、ステップＳ１２では、メモリリセットのみを行えることを知らせるパイロットランプ２９を点灯し、ステップＳ２４ではステップＳ２１と同様にタイマ３０の経過時間ｔ0を読みとってそれが所定時間３秒以上になったかどうかを判断し、３秒以上経過した後、ステップＳ１４に移行する。ステップＳ１４では、後処理手段２３がヘッド駆動モータ４及びシート送りモータ７を制御して、初期位置に戻す後処理動作を行い、ステップＳ１５でプリンタを停止する。
【００３９】
このように本実施形態のインクジェット記録装置においても、ＲＡＭ１６内にプリンタの印刷情報などが格納されている場合、電源スイッチ２６をＯＦＦして３秒以内に再びＯＮすることで、このＲＡＭ１６内の記憶内容をクリアすることができる。このとき、プリンタ機構部８の初期化動作およびリフレッシュ処理が行われないので無駄な時間および無駄なインクの空吐出を排除することができる。
【００４０】
なお、上述した各実施形態では、電源ＯＦＦから所定時間経過するまでは、プリンタ１１が一時停止して次の指令を待つ待機状態にある。そして、３秒後に電源スイッチ２６がＯＮされたか否かで次の処理が決定されるものである。
【００４１】
この場合、例えば、電源スイッチ２６がＯＦＦされたときに、プリンタ１１を待機状態とせずに、後処理手段２３による後処理動作を行ってもよい。なお、この後処理動作は数秒を要するものであり、この間に電源スイッチ２６がＯＮされれば、後処理動作の終了後に初期化処理手段２２による初期化処理動作を行い、電源スイッチ２６がＯＮされなければ、そのままプリンタ１１が停止される。
【００４２】
また、上述した実施例では、電気的なリセットのみを行うことができることを知らせるパイロットランプ２９を設けたが、これは必ずしも設ける必要がないことは言うまでもない。
【００４３】
また、上述の実施形態において、オフライン状態で、電源スイッチ２６をＯＦＦして３秒以内に電源スイッチ２６をＯＮすることで、電気的な初期化処理手段２２のみを作動してＲＡＭ１６を初期化するようにしたが、オンライン状態で印刷中に、電源スイッチ２６をＯＦＦして３秒以内に電源スイッチ２６をＯＮすることで電気的な初期化処理手段２２のみを作動してＲＡＭ１６を初期化するようにしてもよい。この場合、印刷中のインクジェットヘッド１の動作を停止してＨＰ位置に戻して記録シートＳを排出すると共に、リフレッシュ処理手段２４によるリフレッシュ処理を行わずに初期化処理手段２２による初期化処理動作を行う。
【００４４】
更に、前述したリセット機能を動作させる所定時間を３秒としたが、この設定時間は３秒に限らず適宜設定すればよいものであり、２秒でも、５秒でも、あるいは１０秒でもよいものである。また、この所定時間に応じてリセット機能による処理を複数選択的に行わせるようにすることもできる。
【００４５】
即ち、電源スイッチ２６をＯＦＦしてから２秒以内に電源スイッチ２６がＯＮされたときには、必要最低限の電気的な初期化、すなわち、ＲＡＭ１６内の印刷キュー（印刷中のページの印刷データ）のみを読み飛ばし、印刷中のインクジェットヘッド１の動作を停止してシートＳを排出し、次のシートＳを供給してインクジェットヘッド１の動作を開始して次のページの印刷を行うものとする。一方、電源スイッチ２６をＯＦＦしてから２秒を越えて１０秒以内に電源スイッチ２６がＯＮされたときには、完全な電気的な初期化、すなわち、前述と同様に、印刷モードを初期化すると共にＲＡＭ１６内を全てクリアし、インクジェットヘッド１の動作を停止する。ここで、読み飛ばすとは、印刷データを解釈しつつも、イメージデータを生成せず、データを破棄していくことをいう。
【００４６】
このような処理フローを図７に示す。なお、この例はタイマ３０を用いたものであるが、勿論、時計２５の時刻をＥＥＰＲＯＭ２８に保存する場合にも同様な処理が可能であることは言うまでもない。また、この場合にはメモリのデータを記憶保持するための電力供給が必要である。本実施形態の場合にはバッテリにより行われる。
【００４７】
ステップＳ３１で電源スイッチ２６がＯＮされると、ステップＳ３２でタイマ３０の経過時間ｔ0を読みとる。ステップＳ３３ではこの経過時間ｔ0が１０秒を越えているかどうかを判断し、１０秒を越えた場合にはステップＳ３４で初期化動作を行い、その後、ステップＳ３５でｔ0が１分を越えているかどうかを判断する。ｔ0が１分を越えている場合には、ステップＳ３６でインクジェットヘッド１のリフレッシュ処理を行うが、１分を越えていない場合には、ステップＳ３６をスキップしてＳ３７で全メモリをクリアするソフトリセットを行う。一方、ステップＳ３３でｔ0が１０秒を越えていない場合には、ステップＳ３８でさらにｔ0が２秒を越えていないかどうかを判断し、２秒を越えている場合には、ステップＳ３４の初期動作およびステップＳ３６のリフレッシュ動作を回避してステップＳ３７の全メモリクリアのソフトリセットを実行する。また、ステップＳ３８で２秒を越えていない場合には、ステップＳ３９で印刷キューのみ読み飛ばすソフトリセットを実行する。
【００４８】
以上の例では、電源ＯＦＦから電源ＯＮまでの時間が２秒を越えない場合には、ソフトリセットのみでも、最低限のメモリクリアを行うために、現在印刷中のデータがある場合にはそのデータのみを読み飛ばすようにしている。ユーザは、印刷中のデータのみをクリアすべくリセットする場合が多いからである。
【００４９】
また、この場合、制御部１３に、例えば、処理データ解析手段を設け、現在印刷中のデータの次の区切り、すなわち、ページの区切りまたは文章の区切りを解析してそこまでのデータのみを読み飛ばすようにすることもできる。前述したステップＳ３９の場合、またはステップＳ３７のリセット機能（電源スイッチ２６がＯＮ状態にあるとき、この電源スイッチ２６がＯＦＦされてから所定時間内にＯＮされたときには、初期化処理手段２２による印刷モード及び受信メモリの初期化動作のみ実行する）のコマンド信号が入力された場合には、処理データ解析手段がこのコマンドを解析し、次の区切り（印刷中のシートのページの末端までの印刷データ）がどこにあるのかを算出し、そこまでのデータを読み飛ばし、その後、残りの印刷データから印刷動作を開始するようにする。この場合、メモリクリアに代えて、読み飛ばしが必要なのは、印刷データを解釈していく必要があるためである。
【００５０】
なお、以上の実施形態の説明は、全て装置内にバッテリを有するタイプのプリンタを例に挙げて説明したが、電源スイッチＯＦＦの際電源ＯＦＦ後に後処理等の所定の処理が終了した後にも一部電力を通電しておく二次電源機構を有するものであってもよい。
【００５１】
【発明の効果】
以上、実施形態において説明したように、本発明のインクジェット記録装置によれば、
本発明は、リセットキーまたは複雑なキー操作ではなく、電源スイッチのオフ時からオン時までの時間によって電源オン時の初期化処理動作の内容を変更することができ、必要に応じて電気的なリセットを行うことができ、機械的初期化またはリフレッシュ処理などの無駄な動作を省くことができ、続いて印刷するまでの時間を短縮することができる。また、特別にリセットキーを設けることなく、電源スイッチの所定の操作によりリセットを行うことができるので、キースイッチの簡略化の要望に応じることができ、さらに、キーとして特別な電源スイッチにリセット機能を持たせたので、ユーザが意識しなくても必要なリセット処理を行うことができる。
【００５２】
電源スイッチがＯＮ操作されて電源部からプリンタに電力が供給された状態で、この電源スイッチがＯＦＦ操作されてから予め設定された所定時間内に電源スイッチがＯＮ操作されたときには、制御手段はリフレッシュ処理手段によるヘッドのリフレッシュ動作を実行せずに、初期化処理手段による印刷モード及び受信メモリの初期化動作のみ実行するようにしたので、別にスイッチを設けることなく、必要不可欠な既存の電源スイッチを用いたスイッチ操作により、容易に誤操作なく初期化動作のみを迅速に実行することができる。
【図面の簡単な説明】
【図１】本発明の一実施形態に係るインクジェット記録装置の概略構成図である。
【図２】一実施形態のインクジェットヘッドと記録媒体との関係図である。
【図３】一実施形態に係るインクジェット記録装置の制御ブロック図である。
【図４】一実施形態のインクジェット記録装置による制御のフローチャートである。
【図５】他の実施形態に係るインクジェット記録装置の制御ブロック図である。
【図６】他の実施形態のインクジェット記録装置による制御のフローチャートである。
【図７】他の実施形態のインクジェット記録装置による制御のフローチャートである。
【符号の説明】
１  インクジェットヘッド
１０  ホスト
１１  プリンタ
１２  インターフェース
１３  制御部
１４  ＣＰＵ
１５  ＲＯＭ
１６  ＲＡＭ
１７  演算部
１８  制御手段
１９  リセット判断手段
２０  印刷データ処理手段
２１  印刷位置制御手段
２２  初期化処理手段
２３  後処理手段
２４  リフレッシュ処理手段
２５  時計
２６  電源スイッチ
２７  バッテリ
２８  ＥＥＰＲＯＭ
２９  パイロットランプ
３０  タイマ
【図１】
0003695020.tif 000002
【図２】
0003695020.tif 000003
【図３】
0003695020.tif 000004
【図４】
0003695020.tif 000005
【図５】
0003695020.tif 000006
【図６】
0003695020.tif 000007
【図７】
0003695020.tif 000008